(57)【要約】【課題】小さく折り畳み可能な敷き布団を提供する。【解決手段】敷き布団（１０）は、複数の矩形布団片（１、２、３、４）から構成され、敷かれた状態において、互いに対向する、矩形布団片の側面同士のうち少なくとも一つの側面（１ａおよび３ａ、２ａおよび４ａ、１ｂおよび２ｂ）同士が蝶着されている。【選択図】図１
2019097825.tif 000002
【特許請求の範囲】
【請求項１】
複数の矩形布団片から構成され、
敷かれた状態において、互いに対向する、矩形布団片の側面同士のうち少なくとも一つの側面同士が蝶着されていることを特徴とする敷き布団。
【請求項２】
敷かれた状態において、第１の方向に複数の矩形布団片が配置され、当該第１の方向に互いに対向する、各矩形布団片の側面同士が蝶着され、かつ、当該第１の方向に直交する第２の方向に複数の矩形布団片が配置され、当該第２の方向に互いに対向する、各矩形布団片の側面同士のうち少なくとも一つの側面同士が蝶着され、それ以外の側面同士が分離されて、当該敷き布団全体として矩形をなし、
畳まれた状態において、各矩形布団片が積み重なった状態になる
ことを特徴とする請求項１に記載の敷き布団。
【請求項３】
敷かれた状態において、
上記複数の矩形布団片の側面であって、他の側面と対向する側面のうち、
第３の方向に沿う側面の少なくとも一部にはメッシュが施され、
第３の方向に直交する第４の方向に沿う側面には、メッシュが施されないか、または、上記第３の方向に沿う側面におけるメッシュが施された部分より小さい割合の占有率でメッシュが施されていることを特徴とする請求項１または２に記載の敷き布団。
【請求項４】
畳まれた状態において、
各矩形布団片が積み重なった直方体形状をなし、当該直方体形状の４つの側面のうち少なくとも３つの側面を構成する、各矩形布団片の側面の、少なくとも一部にメッシュが施されていることを特徴とする請求項１から３のいずれか１項に記載の敷き布団。
【請求項５】
敷かれた状態において、
側面同士が蝶着されていない、２つの矩形布団片の外側の互いに隣接する側面同士を固定する部材を備えていることを特徴とする請求項１から４の何れか１項に記載の敷き布団。
【発明の詳細な説明】
【技術分野】
【０００１】
本発明は、敷き布団に関する。
【背景技術】
【０００２】
折り畳み可能なマットレスとして、特許文献１、２が従来技術として知られている。
【先行技術文献】
【特許文献】
【０００３】
【特許文献１】実開昭６２−５５９５６号公報（１９８７年０４月０７日公開）
【特許文献２】実開平０１−６６１４４号公報（１９８９年０４月２７日公開）
【発明の概要】
【発明が解決しようとする課題】
【０００４】
特許文献１、２に開示されているように、折り畳み可能なマットレスは存在するが、折り畳み可能な敷き布団は見当たらない。収納スペース節減だけでなく、輸送コスト低減の観点からも、小さく折り畳み可能な敷き布団は有用である。本発明の一態様は、小さく折り畳み可能な敷き布団を提供することを目的とする。
【課題を解決するための手段】
【０００５】
上記の課題を解決するために、本発明の一態様に係る敷き布団は、複数の矩形布団片から構成され、敷かれた状態において、互いに対向する、矩形布団片の側面同士のうち少なくとも一つの側面同士が蝶着されていることを特徴としている。
【発明の効果】
【０００６】
本発明の一態様によれば、小さく折り畳み可能な敷き布団を提供することができる。
【図面の簡単な説明】
【０００７】
【図１】本発明の一実施形態に係る、敷かれた状態の敷き布団の平面図および底面図である。
【図２】本発明の一実施形態に係る、敷かれた状態の敷き布団の断面図である。
【図３】本発明の一実施形態に係る、敷かれた状態の敷き布団の側面図である。
【図４】本発明の一実施形態に係る、敷かれた状態の敷き布団の側面図である。
【図５】本発明の一実施形態に係る、畳まれた状態の敷き布団の斜視図である。
【発明を実施するための形態】
【０００８】
以下、本発明の一実施形態に係る敷き布団１０について、図１〜５を用いて説明する。
【０００９】
（敷かれた状態の敷き布団の概要）
図１（ａ）は、敷かれた状態の敷き布団１０の平面図である。図１（ｂ）は、敷かれた状態の敷き布団１０の底面図である。敷き布団１０は、４個（複数）の矩形布団片１、２、３および４から構成され、全体として矩形をなす。以下、側面とは、人が寝る場合に体を載せる面を上面としたときの、敷き布団、または、矩形布団片の側面である。矩形布団片１は、４つの側面１ａ、１ｂ、１ｃおよび１ｄを有する。矩形布団片２は、４つの側面２ａ、２ｂ、２ｃおよび２ｄを有する。矩形布団片３は、４つの側面３ａ、３ｂ、３ｃおよび３ｄを有する。矩形布団片４は、４つの側面４ａ、４ｂ、４ｃおよび４ｄを有する。敷き布団１０は、敷かれた状態において、互いに対向する矩形布団片の側面同士のうち少なくとも一つの側面同士が蝶着されている。
【００１０】
上記によれば、複数の矩形布団片１、２、３、４がばらばらに分離することなく、折り畳み可能な敷き布団１０を提供することができる。また、上記側面同士が蝶着されているので、折り畳んだときに膨らまない。したがって、敷き布団１０を小さく折り畳むことができる。よって、収納スペースの節減、店舗での展示、輸送、持ち帰り、搬送等の場面における省スペース、低コストを図ることができる。なお、本実施形態では、４つ折りの敷き布団１０に関して説明するが、本発明はこのような形態に限定されない。本発明の一態様は、例えば、敷かれた敷き布団の長さ方向および幅方向のそれぞれに２個以上の矩形布団片が連なってもよいし（例えば矩形布団片は長さ方向に３個幅方向に２個配列されて合計６個でもよい）、長さ方向に２個以上の矩形布団片が連なってもよい（例えば３個、４個の矩形布団片が一方向に並んでいてもよい。）。互いに対向する矩形布団片の側面同士が適宜蝶着された部分を設けることで、敷き布団の各矩形布団片を積み重ねて、折り畳むことができる。
【００１１】
（敷かれた状態の敷き布団の詳細）
敷き布団１０が敷かれた状態において、敷き布団１０の長さ方向（第１の方向）に２つ（複数）の矩形布団片１、３が配置され、敷き布団１０の長さ方向に互いに対向する、側面１ａおよび側面３ａ同士が蝶着される。また、敷き布団１０の長さ方向に２つの矩形布団片２、４が配置され、敷き布団１０の長さ方向に互いに対向する、側面２ａおよび側面４ａ同士が蝶着される。
【００１２】
さらに、敷き布団１０が敷かれた状態において、敷き布団１０の幅方向（第１の方向に直交する第２の方向）に２つ（複数）の矩形布団片２、１が配置され、敷き布団１０の幅方向（第２の方向）に互いに対向する、側面２ｂおよび側面１ｂ（少なくとも一つの側面）同士が蝶着される。一方、敷き布団１０の幅方向に２つの矩形布団片４、３が配置され、敷き布団１０の幅方向に互いに対向する、側面４ｂおよび側面３ｂ（それ以外の側面）同士が分離される。そして、敷き布団１０は、全体として矩形をなし、畳まれた状態において、各矩形布団片１、２、３、４が積み重なった状態になる（図５（ｂ）参照）。
【００１３】
上記によれば、敷き布団１０が敷かれた状態において、各矩形布団片１、２、３、４の側面同士が蝶着された部分と、分離された部分があって、敷き布団全体として矩形をなすとともに、畳まれた状態において、各矩形布団片１、２、３、４が積み重なった状態になる。したがって、敷き布団１０が畳まれた際に厚みが抑えられることにより、敷き布団１０をより小さく畳むことができる。
【００１４】
（メッシュの配置）
各矩形布団片１、２、３、４の、少なくとも一部の側面には、メッシュが施されている。例えば、敷かれた状態において、複数の矩形布団片の側面であって、他の側面と対向する側面のうち、敷き布団１０の長さ方向（第３の方向）に沿う側面の少なくとも一部にはメッシュが施され、敷き布団１０の幅方向（第３の方向に直交する第４の方向）に沿う側面には、メッシュが施されないか、または、敷き布団１０の長さ方向に沿う側面におけるメッシュが施された部分より小さい割合の占有率でメッシュが施されている。
【００１５】
上記によれば、人が敷き布団１０の長さ方向に沿って敷き布団１０に横たわることにより、体が横たわる場所ではメッシュがないか、または、メッシュが施された部分より小さい割合の占有率でメッシュが施されているので保温性が確保され、体が横たわらない場所ではメッシュが施されているので放湿性が確保される。
【００１６】
以下、本実施形態では、矩形布団片１、２の蝶着部分が下側に来るように敷き布団１０が敷かれた状態を、人が寝るときに体を横たえる面が上側に配置された状態とし、以下、上側、下側とは、このように敷かれた敷き布団１０における上側、下側を意味する。
【００１７】
図２（ａ）は、敷かれた状態の矩形布団片２、４のＡ−Ａ’断面図である。図２（ａ）に示すように、敷かれた状態において、蝶着されている矩形布団片２の側面のうち蝶着部分が下側にある側面２ｂには、メッシュが施されている。図示しないが、蝶着されている矩形布団片１の側面のうち蝶着部分が下側にある側面１ｂにも、メッシュが施されている。また、蝶着されていない側面４ｂには、メッシュが施されている。図示しないが、蝶着されていない側面３ｂにも、メッシュが施されている。
【００１８】
図２（ｂ）は、敷かれた状態の矩形布団片１、２のＣ−Ｃ’断面図である。図２（ｂ）に示すように、敷かれた状態において、矩形布団片１および２の側面のうち蝶着部分が上側にある側面１ａおよび側面２ａには、メッシュが施されていない。
【００１９】
図２（ｃ）は、本実施形態に係る、敷かれた状態の矩形布団片４、３のＤ−Ｄ’断面図である。図２（ｃ）に示すように、敷かれた状態において、蝶着部分が上側にある側面３ａおよび側面４ａには、メッシュが施されていない。
【００２０】
図３（ａ）は、敷かれた状態の矩形布団片１、３の側面図である。図３（ａ）に示すように、敷き布団１０が敷かれた状態において、側面１ｃおよび側面３ｃには、メッシュが施されている。また、側面１ａと側面３ａとは、互いに対向するとともに蝶着される。側面１ａと、側面３ａとの蝶着部分は、上側にある。側面１ａおよび側面３ａには、メッシュが施されていない。図示しないが、矩形布団片４、２に関しても上記と同様である。すなわち、敷き布団１０が敷かれた状態において、側面４ｃおよび側面２ｃには、メッシュが施されている。また、側面４ａと側面２ａとは、互いに対向するとともに、蝶着される。側面４ａと側面２ａとの蝶着部分は、上側にある。側面４ａおよび側面２ａには、メッシュが施されていない。図３（ｂ）は、敷かれた状態の矩形布団片２、１の側面図である。図３（ｂ）に示すように、側面２ｄおよび側面１ｄには、メッシュが施されている。また、側面２ｂと側面１ｂとは、互いに対向するとともに、蝶着される。側面２ｂと側面１ｂとの蝶着部分は、下側にある。側面２ｂおよび側面１ｂには、メッシュが施されている。
【００２１】
上記によれば、蝶着部分が下側にある側面（１ｂおよび２ｂ）、および、蝶着されていない側面（３ｂおよび４ｂ）にメッシュが施されており、その部分の上側には人が横たわらないので、敷き布団１０の放湿性を確保できる。一方、メッシュが施されていない側面（１ａおよび３ａ、２ａおよび４ａ）の蝶着部分は上側にあり、その部分の上側には人が横たわるので、敷き布団１０の保温性を確保できる。なお、本発明の一態様は、敷き布団が敷かれた状態において、矩形布団片の側面のうち、蝶着部分が下側にある側面には、蝶着部分が上側にある側面よりもメッシュの占有率を大きく施してもよい。例えば、蝶着部分が下側にある側面には、５０％より大きい、６０％以上、または、９０％以上の占有率でメッシュが施されており、蝶着部分が上側にある側面には、メッシュを施さないか、または、５０％より小さい、３０％以下、または、１０％以下の占有率でメッシュが施されていてもよい。
【００２２】
（分離した矩形布団片の固定部材）
図４は、敷かれた状態の矩形布団片４、３の側面図である。敷き布団１０は、敷かれた状態において、側面同士が蝶着されていない２つの矩形布団片４、３の外側の互いに隣接する側面４ｄ、３ｄ同士を固定する固定部材（部材）５、６を備えている。図４（ａ）は、固定部材５が折り畳まれた状態を示す。図４（ａ）に示すように、敷き布団１０が敷かれた状態において、側面４ｄおよび側面３ｄには、メッシュが施されている。また、側面４ｂと側面３ｂとは、互いに対向するが分離される。側面４ｂおよび側面３ｂには、メッシュが施されている。
【００２３】
図４（ｂ）は、固定部材５が左側に延ばされた状態を示す。図４（ｂ）に示すように、固定部材５は、側面４ｄ、４ｂの角部に蝶着され、フック面５Ｆ１、５Ｆ２およびループ面５Ｌを備えている。固定部材６は、側面３ｄに付され、ループ面６Ｌ１および６Ｌ２を備えている。フック面５Ｆ１および５Ｆ２は、面ファスナのフック状に起毛された面である。ループ面５Ｌ、６Ｌ１および６Ｌ２は、面ファスナの、ループ状に密集して起毛された面である。なお、図４（ａ）において、固定部材５は、２つ折りにされて、フック面５Ｆ１とループ面５Ｌとが合着している。
【００２４】
図４（ｃ）は、固定部材５、６が合着した状態を示す。図４（ｃ）に示すように、固定部材５は、右側に延ばされる。そして、固定部材５のフック面５Ｆ１と、固定部材６のループ面６Ｌ１とが合着し、かつ、固定部材５のフック面５Ｆ２と、固定部材６のループ面６Ｌ２とが合着している。
【００２５】
上記によれば、敷き布団１０が敷かれた状態において、矩形布団片３、４の、外側の側面３ｄ、４ｄに固定部材５、６を設けるので、メッシュが内側で互いに対向する側面３ｂ、４ｂに固定部材を設けずに、内側の側面３ｂ、４ｂに多くのメッシュを施すことができるため、敷き布団１０の放湿性をさらに確保できる。
【００２６】
（畳まれた状態の敷き布団）
図５（ａ）は、本実施形態に係る、敷き布団１０が折り畳まれる途中の状態を示す。図１（ｂ）に示す、敷き布団１０の底面を上側にして置かれた状態（以下、「上下逆に敷かれた状態」という）を起点とする。上下逆に敷かれた状態においては、矩形布団片１、２同士の蝶着部分が上側にあるので、矩形布団片１、２は折り畳み可能である。そして、上下逆に敷かれた状態においては、矩形布団片２、４同士の蝶着部分が下側にあるので、矩形布団片２、４は逆に折り畳み可能である。同様に、上下逆に敷かれた状態においては、矩形布団片１、３同士の蝶着部分が下側にあるので、矩形布団片１、３は逆に折り畳み可能である。なお、側面１ｂ、１ｃ、１ｄ、側面２ｂ、２ｃ、２ｄ、側面３ｂ、３ｃ、３ｄ、側面４ｂ、４ｃ、４ｄには、メッシュが施されている。一方、側面１ａ、２ａ、３ａ、４ａには、メッシュが施されていない。
【００２７】
図５（ｂ）は、敷き布団１０が折り畳まれた状態を示す。敷き布団１０が畳まれた状態において、各矩形布団片１、２、３および４が鉛直方向に積み重なった直方体形状をなし、当該直方体形状の４つの側面のうち少なくとも３つの側面を構成する、各矩形布団片の側面の、少なくとも一部にメッシュが施されている。図５（ｂ）に示すように、メッシュが施された側面４ｂ、２ｂ、１ｂ、３ｂが直方体形状の側面に露出し、メッシュが施された側面４ｄ、２ｄ、１ｄ、３ｄが直方体形状の側面に露出し、メッシュが施された側面４ｃ、２ｃ、１ｃ、３ｃが直方体形状の側面に露出する。一方、メッシュが施されていない側面４ａ、２ａ、１ａ、３ａが直方体形状の側面に露出する。上記によれば、敷き布団１０が畳まれた直方体形状の４つの側面のうち少なくとも３つの側面にメッシュが施されているので、敷き布団１０が畳まれた状態でも放湿性を確保することができる。
【００２８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００２９】
１０  敷き布団、１、２、３、４  矩形布団片、１ａ、１ｂ、１ｃ、１ｄ、２ａ、２ｂ、２ｃ、２ｄ、３ａ、３ｂ、３ｃ、３ｄ、４ａ、４ｂ、４ｃ、４ｄ  側面、５、６  固定部材（部材）
【図１】
2019097825.tif 000003
【図２】
2019097825.tif 000004
【図３】
2019097825.tif 000005
【図４】
2019097825.tif 000006
【図５】
2019097825.tif 000007